(57)【特許請求の範囲】
【請求項１】
少なくとも１つの加入者の少なくとも１つの閉じたユーザグループを含む移動通信システムにおいてコール再送を実行する方法であって、コール設定に関連してあるコール再送番号への条件付又は無条件コールを検出する段階を含む方法において、
上記設定されたコール再送が音声メールに向けられたかどうかをチェックし、
コール再送が音声メールに向けられたことに応答して、コール再送を実行し、コール再送ファシリティと閉じたユーザグループとの間の相互作用によるコール再送に対する考えられる阻止を無視する、
という段階を含むことを特徴とする方法。
【請求項２】
コール設定に関連して検出されるコール再送に応答して、コール再送ファシリティと閉じたユーザグループとの間の相互作用がコール再送を阻止するかどうかチェックし、
コール再送ファシリティと閉じたユーザグループとの間の相互作用がコール再送を阻止するのに応答して、コール再送が音声メールに向けられたかどうかチェックする、
という段階を含む請求項１に記載の方法。
【請求項３】
コール再送が音声メールに向けられない場合だけ、コール再送ファシリティと閉じたユーザグループとの間の相互作用がコール再送を阻止するかどうかチェックする請求項１に記載の方法。
【請求項４】
上記チェックは、
コール再送番号を音声メール番号と比較し、
それら番号が同一である場合にコール再送を音声メールに向けられたコール再送であると解釈する、
という段階を含む請求項１ないし３のいずれかに記載の方法。
【請求項５】
上記チェックは、加入者データベースにおいて行なわれる請求項１ないし４のいずれかに記載の方法。
【請求項６】
上記加入者データベースは、ホーム位置レジスタ(HLR)又はビジター位置レジスタ(VLR)である請求項１ないし５のいずれかに記載の方法。
【請求項７】
加入者に関連した少なくとも１つの音声メール番号を加入者のホーム位置レジスタ(HLR)に記憶し、
加入者に関連した少なくとも１つの音声メール番号を、好ましくは位置更新に関連して、ホーム位置レジスタ(HLR)からビジター位置レジスタ(VLR)へ転送し、
コール再送番号を少なくとも１つの音声メール番号と比較することによりコール再送が音声メールに向けられたかどうかチェックする、
という段階を含む請求項１ないし３のいずれかに記載の方法。
【請求項８】
コール再送に関する加入者情報が記憶される移動通信システムの加入者データベース(HLR,VLR)において、
この加入者データベースは、コール再送がアクチベートされるのに応答して、コール再送が音声メールに向けられたかどうかチェックし、
この加入者データベースは、コール再送が音声メールに向けられたことに応答して、コール再送を実行しかつコール再送ファシリティと閉じたユーザグループとの間の相互作用により生じるコール再送に対する考えられる阻止を無視するように構成されたことを特徴とする加入者データベース。
【請求項９】
コール設定に関連して検出されるコール再送に応答して、加入者データベースは、コール再送ファシリティと閉じたユーザグループとの間の相互作用がコール再送を阻止するかどうかチェックするように構成され、
コール再送ファシリティと閉じたユーザグループとの間の相互作用がコール再送を阻止するのに応答して、加入者データベースは、コール再送が音声メールに向けられたかどうかチェックするように構成された請求項８に記載のデータベース(HLR,VLR)。
【請求項１０】
加入者データベースは、コール再送が音声メールに向けられない場合だけ、コール再送ファシリティと閉じたユーザグループとの間の相互作用がコール再送を阻止するかどうかチェックするように構成された請求項８に記載のデータベース(HLR,VLR)。
【請求項１１】
加入者データベースは、
加入者に関連した少なくとも１つの音声メール番号を記憶し、
加入者に関連した少なくとも１つの音声メール番号を、好ましくは位置更新に関連して、ホーム位置レジスタ(HLR)からビジター位置レジスタ(VLR)へ転送し、  コール再送番号を少なくとも１つの音声メール番号と比較することによりコール再送が音声メールに向けられたかどうかチェックする、
ように構成された加入者のホーム位置レジスタ(HLR)である請求項８ないし１０のいずれかに記載の加入者データベース。
【請求項１２】
加入者データベースは、
加入者データを永久的に記憶し、
好ましくは位置更新に関連して、ホーム位置レジスタ(HLR)からビジター位置レジスタ(VLR)へ転送された少なくとも１つの音声メール番号を記憶し、
コール再送番号を少なくとも１つの音声メール番号と比較することによりコール再送が音声メールに向けられたかどうかチェックする、
ように構成されビジター位置レジスタ(VLR)である請求項８ないし１０のいずれかに記載の加入者データベース。
【請求項１３】
移動サービス交換センター(GMSC;MSC)と、加入者データベース(HLR,VLR)と、少なくとも１つの加入者の少なくとも１つの閉じたユーザグループとを備えた移動通信システムにおいてコール再送を実行する構成体であって、コール設定に関連して移動サービス交換センターから加入者データベース(HLR,VLR)へデータベース質問を行う手段と、加入者データベースにおいて加入者のコール再送設定をチェックする手段とを備えた構成体において、更に、
加入者により設定されたコール再送の検出に応答して、そのコール再送が音声メールに向けられたかどうかチェックするための手段と、
コール再送が音声メールに向けられたことに応答して、コール再送を実行し、コール再送ファシリティと閉じたユーザグループとの間の相互作用により生じるコール再送に対する考えられる阻止を無視する手段と、
を備えたことを特徴とする構成体。
【請求項１４】
上記チェック手段は、コール再送ファシリティと閉じたユーザグループとの間の相互作用がコール再送を阻止する場合だけコール再送が音声メールに向けられたかどうかチェックする請求項１３に記載の構成体。
【請求項１５】
上記チェック手段は、コール再送が音声メールに向けられない場合だけ、コール再送ファシリティと閉じたユーザグループとの間の相互作用がコール再送を阻止するかどうかチェックする請求項１３に記載の構成体。
【請求項１６】
上記チェック手段は、コール再送番号を音声メール番号と比較し、
それら番号が同一である場合にコール再送が音声メールに向けられると解釈する請求項１３ないし１５のいずれかに記載の構成体。
【請求項１７】
上記チェック手段は、加入者データベース(HLR,VLR)に含まれる請求項１３ないし１６のいずれかに記載の構成体。
【請求項１８】
加入者データベースは、ホーム位置レジスタ(HLR)又は加入者位置レジスタ(VLR)である請求項１７に記載の構成体。
【請求項１９】
加入者のホーム位置レジスタ(HLR)は、加入者に関連した少なくとも１つの音声メール番号を記憶するように構成され、
ホーム位置レジスタ(HLR)は、加入者に関連した少なくとも１つの音声メール番号を、好ましくは位置更新に関連して、ビジター位置レジスタ(VLR)へ転送するように構成され、
加入者データベース(HLR,VLR)は、コール再送番号を少なくとも１つの音声メール番号と比較することによりコール再送が音声メールに向けられたかどうかチェックするように構成される請求項１３ないし１８のいずれかに記載の構成体。
【発明の詳細な説明】
【０００１】
【技術分野】
本発明は、移動通信システムに係り、より詳細には、少なくとも１つの加入者の少なくとも１つの閉じたユーザグループを含む移動通信システムにおいてコール再送を実行する方法及び装置に係る。この方法は、コール設定に関連してある定められたコール再送番号への条件付又は無条件コールを検出する段階を含む。
【０００２】
【背景技術】
通常のスピーチ及びデータ送信に加えて、移動通信システムは、加入者に対し複数の補足的サービスを提供する。仕様に基づく基本的なサービスは、既に利用されており、インテリジェントネットワークアーキテクチャーをベースとするより進歩したサービスの数が増え続けている。
【０００３】
移動通信システムに含まれる１つの補足的サービスは、閉じたユーザグループである。閉じたユーザグループにより、内部又は外部テレコミュニケーションに関する多数の異なる制約を、選択された加入者グループに対して定義することができる。使用できるコール制約は、例えば、入呼び又は出呼びを阻止したり、長距離又は国際コールを阻止したりすることを含む。閉じたユーザグループは、通常、従業員に与えられた移動ステーションの使用を主として仕事の目的に制約することが所望される会社に適用される。コール設定プロセスにおいて、閉じたユーザグループは、付加的なチェックを行い、これに基づいて、コール設定が通常通りに続けられるか、又はコール制約によって中断される。
【０００４】
移動通信システムにより提供される別の補足的サービスは、加入者がアクチベートすることのできるコール再送である。コール再送は、無条件とすることができ、即ちコールが常に所与の新たな番号へ再送されるようにすることができる。又、コール再送は、条件付と定義することもでき、例えば、加入者が通話中であるときに、応答しないか又は繋がらないようにすることができる。最も一般的に使用されるコール再送の形式は、音声メールサービス（ボイスメールサービスＶＭＳ）であり、加入者は、自分への入呼びがＶＭＳセンターへ無条件に再送されるか条件付で再送されるかを定義する。ＶＭＳセンターは、コールに応答し、そして加入者に残されたメッセージを記憶する。
【０００５】
閉じたユーザグループにおいて音声メールへのコール再送を実行する際には、閉じたユーザグループのメンバーへのコールは、通常通りに行なわれるが、音声メールへのコール再送が、コール制約及び被呼者の出アクセスの定義に基づいて成功したり失敗したりする状態が生じる。通常のユーザにとって、技術用語で表わされた制約や定義を理解することは容易でない。それ故、システムの機能及び信頼性に関して、少なくとも両加入者間の実際のコールが可能である場合は問題なく音声メールを利用できることが重要である。
【０００６】
【発明の開示】
本発明の目的は、上記問題を解消するための方法及びこの方法を実施する装置を提供することである。本発明の目的は、コール再送が音声メールに向けられたかどうかチェックし、そしてコール再送が音声メールに向けられたことに応答して、コール再送ファシリティと閉じたユーザグループとの間の相互作用によるコール再送の考えられる阻止に関わりなく、コール再送を実行するという段階を含むことを特徴とする請求項１に記載の方法により達成される。
【０００７】
又、本発明は、コール再送に関する加入者の情報が記憶される請求項８に記載の加入者データベースにも係る。この加入者データベースは、コール再送が音声メールに向けられたかどうかチェックし、そしてコール再送が音声メールに向けられたことに応答して、コール再送ファシリティと閉じたユーザグループとの間の相互作用によるコール再送の考えられる阻止に関わりなく、コールを再送するように構成されたことを特徴とする。
【０００８】
従属請求項は、本発明の好ましい実施形態に関する。
本発明は、少なくともコール再送が失敗する前に、定義されたコール再送番号が音声メールの番号であるかどうかチェックするようにシステムが構成されるという考え方をベースとする。当該再送番号が音声メールの番号であることをシステムが検出した場合には、コールの制約に関連したチェックが省略され、そして考えられるコール制約に関わりなくコールが音声メールへ再送される。
【０００９】
本発明の解決策は、システムの加入者データベースに音声メールの番号（１つ又は複数）を記憶し、そしてコール再送がアクチベートされたときにコール再送番号を音声メール番号と比較するように加入者データベースを構成することにより実施される。それらの番号が同一である場合には、コールの制約に関連したチェックが行なわれない。
本発明の方法及びシステムは、音声メールへのコール再送に関連して閉じた加入者グループの制約により生じる考えられる問題を排除することができる。
【００１０】
【発明を実施するための最良の形態】
以下、添付図面を参照して、本発明を詳細に説明する。
以下、本発明は、ＧＳＭ移動通信システム（移動通信用のグローバルシステムＧＳＭ）の機能及び構造を一例として使用して説明するが、本発明は、コール再送ファシリティ及び閉じたユーザグループに関連したファシリティをサポートする他の同様の無線システムにも適用することができる。
【００１１】
図１は、ＧＳＭシステムの基本的な要素を示すが、このシステムの特徴及び他の要素については詳細に示さない。ＧＳＭシステムの詳細な説明については、ＧＳＭ推奨勧告、及び「移動通信用のＧＳＭシステム(The GSM System for Mobile Communications)」、Ｍ．モーリ及びＭ．ポーテット、パライゼウ、フランス、１９９２年、ＩＳＢＮ：２−９５０７１９０−０−０−７を参照されたい。
【００１２】
移動サービス交換センターＭＳＣは、入呼び及び出呼びのスイッチングの役割を果たす。これは、公衆交換電話ネットワーク（ＰＳＴＮ）のセンターと同じ形式のタスクを遂行する。これらタスクに加えて、ネットワークの加入者レジスタと共に、加入者位置の管理のような移動電話トラフィックの典型である機能のみを遂行する。ＧＳＭシステムでは、ホーム位置レジスタＨＬＲ及びビジター位置レジスタＶＬＲが加入者レジスタとして機能する。移動ステーションＭＳが位置するＶＬＲに関する加入者データ及び情報は、ホーム位置レジスタＨＬＲに永久的に記憶される。ビジター位置レジスタＶＬＲは、次いで、ビジター位置レジスタＶＬＲに関連した移動サービス交換センターのエリアに移動ステーションが留まる時間中、移動ステーションＭＳの加入者データを一時的に記憶する。通常、１つのＶＬＲが１つの移動サービス交換センターＭＳＣにサービスする。移動ステーションＭＳは、ベースステーションシステムＢＳＳにより交換センターＭＳＣに接続される。ベースステーションシステムＢＳＳは、ベースステーションコントローラＢＳＣ及びベーストランシーバステーションＢＴＳを備えている。多数のベーストランシーバステーションＢＴＳを制御するのに１つのベースステーションコントローラＢＳＣが使用される。
【００１３】
閉じたユーザグループＣＵＧは、移動通信システムの加入者をグループ編成にしそしてＣＵＧパラメータによりこれらグループに対して異なる制約を定義することができるようにする補足的サービスである。ＣＵＧファシリティの詳細な説明については、ＧＳＭ仕様書ＧＳＭ０２．８５及び０３．８５を参照されたい。加入者は、多数の閉じたユーザグループに属することができ、例えば、ＧＳＭシステムでは、加入者特有の最大値は１０である。ＧＳＭシステムでは、閉じたユーザグループは、ＣＵＧインターロックコードＩＣにより明確に識別される。閉じたユーザグループは、加入者に対してＣＵＧインデックスで指示され、このインデックスは、通常、ビジター位置レジスタＶＬＲにおいて変換される。
【００１４】
以下ＣＵＧ加入者と称する閉じた加入者グループのメンバーのグループ特有の定義は、制約を追加又は除去することにより更に特定することができる。入アクセスＩＡをもつＣＵＧ加入者は、加入者グループの外部からコールを受け取ることができる。対応的に、出アクセスＯＡをもつＣＵＧ加入者は、グループの外部にコールを発することができる。入呼び阻止ＩＣＢは、ＣＵＧ加入者が同じグループの他のメンバーからコールを受け取るのを防止する。対応的に、出呼び阻止ＯＣＢをもつＣＵＧ加入者は、同じグループの他のメンバーにコールすることができない。
【００１５】
移動ステーションに着信するコールは、以下、ＭＴコール（移動着信ＭＴ）と称し、そして移動ステーションから発信するコールは、ＭＯコール（移動発信ＭＯ）と称する。閉じたユーザグループを示すために、図２のブロック及び信号図を参照して、ＧＳＭ型の移動通信システムにおける２つの移動ステーション間のコール設定について説明する。ステップ２．１では、移動ステーションＭＳａが交換センターＭＳＣａにコール設定要求を送信し、該交換センターの制御のもとで加入者Ａは送信の瞬間にある。加入者Ａは、移動ステーションからＣＵＧインデックスを与えることによりコールに関連して使用すべきＣＵＧグループを明確に定義することができる。交換センターＭＳＣａは、それに関連して機能するビジター位置レジスタＶＬＲａへ加入者データ質問を送信し（ステップ２．２）、この質問は、コール設定要求において送信される考えられるＣＵＧ情報も含む。加入者ＡがＣＵＧインデックスを明確に与えない場合には、加入者データがコール設定要求で指示された基本的サービスに関連した好ましいＣＵＧを含むかどうかがビジター位置レジスタＶＬＲにおいてチェックされる。好ましいＣＵＧが定義されている場合には、閉じた加入者グループがそれに基づいて決定される。コール設定メッセージがＣＵＧ情報を含まずそして好ましいＣＵＧが定義されていない場合には、当該コールが通常のコールである。
【００１６】
ビジター位置レジスタＶＬＲａにおいてＣＵＧチェックが行なわれる（ステップ２．３）。このチェックの間に、加入者により与えられた情報、ビジター位置レジスタにおいて更新される加入者データ、及び加入者がコール設定要求を行う権利があるかどうかのＭＯ  ＣＵＧチェック機能に基づいて判断がなされる。ＭＯ  ＣＵＧチェック機能の詳細な説明については、ＧＳＭ規格０３．８５（バージョン４．２．０のページ１３−１４）を参照されたい。チェックに関しては、考えられるＣＵＧインデックスがＣＵＧインターロックコードに変換され、これに基づいて、移動通信ネットワークは、コールが意図されたＣＵＧグループを識別する。ＣＵＧ情報が明確にも暗示的にも示されない場合には、コールが通常のコールとして確立される。ＣＵＧチェックに基づいてコールが許され、そしてＣＵＧ情報が示される場合には、コールがＭＯ  ＣＵＧコールとして確立される。この場合に、ＶＬＲａは、ＣＵＧ情報を交換センターＭＳＣａに返送し（ステップ２．４）、コール設定を続けることができる。ＣＵＧチェックに基づいてコールが許されない場合には、ビジター位置レジスタＶＬＲａは、コールが拒絶されそしてコール設定が中断したことを交換センターＭＳＣａに通知する。交換センターは、その情報を移動ステーションＭＳａに転送する。
【００１７】
交換センターＭＳＣａは、ビジター位置レジスタＶＬＲａからそれが受け取ったＣＵＧ情報をコール設定シグナリングにおいて加入者Ｂのネットワークへ送信する（ステップ２．５）。図２の場合には、コールが加入者Ｂのネットワークの第１交換センターＧＭＳＣｂに入り、そして交換センターは、加入者のディレクトリ番号ＭＳＩＳＤＮによって決定されたホーム位置レジスタＨＬＲｂにルート情報質問を送信する（ステップ２．６）。コール設定シグナリングにおいて受け取られるＣＵＧ情報も、ルート情報質問に関するメッセージにおいてホーム位置レジスタＨＬＲｂへ送信される。
【００１８】
ホーム位置レジスタＨＬＲｂにおいて別のＣＵＧチェックが行なわれる（ステップ２．７）。このチェックの目的は、コール設定に関連して受け取ったＣＵＧ情報、ホーム位置レジスタＨＬＲｂに記憶された加入者ＢのＣＵＧ情報、及びＭＴ  ＣＵＧチェックに基づいて、加入者Ａ及び加入者Ｂの定義に従いコールが許されるよう確保することである。ＭＴ  ＣＵＧチェックの詳細な説明については、ＧＳＭ仕様書ＧＳＭ０３．８５（バージョン４．２．０のページ１４−１５）を参照されたい。ＣＵＧチェックに基づきコールが許されない場合には、ＨＬＲは、コール設定を中断し、拒絶の指示及び説明をゲートウェイ交換センターＧＭＳＣｂに送信し、該交換センターは、その情報を加入者Ａのネットワークに転送する。コールがＣＵＧ定義に基づいて許される場合には、コール設定が通常通りに続けられる。位置更新の間に、加入者Ｂが位置するビジター位置レジスタＶＬＲｂに関する情報が、加入者のホーム位置レジスタＨＬＲｂにおいて更新されている。この情報に基づき、ホーム位置レジスタＨＬＲｂは、ローミング番号を予約する要求をビジター位置レジスタＶＬＲｂに送信する（ステップ２．８）。ローミング番号を予約する要求は、コールに必要とされるネットワークリソースに関する情報を含む。ビジター位置レジスタＶＬＲｂは、加入者に対してローミング番号を予約し、そしてそれを応答メッセージにおいてホーム位置レジスタＨＬＲｂへ送信し（ステップ２．９）、このホーム位置レジスタは、そのローミング番号及び考えられるＣＵＧ情報を、そのローミング情報を尋ねた交換センターＧＭＳＣｂに送信する（ステップ２．１０）。
【００１９】
ローミング番号スペースは、ビジター位置レジスタＶＬＲｂがローミング番号を予約したところの交換センターＭＳＣｂへコールが常にルート指定されるように定義されている。従って、ゲートウェイ交換センターＧＭＳＣｂは、ローミング番号で指示された移動サービス交換センターＭＳＣｂへ初期アドレスメッセージ２．１１を送信することによりローミング番号に基づいてコール再送をルート指定することができる。初期アドレスメッセージ２．１１を受信すると、交換センターＭＳＣｂは、ローミング番号分析において、コールがそれ自身のエリアに着信しそしてその先へルート指定されるものでないことを見出す。この場合に、ＭＳＣｂは、それ自身のビジター位置レジスタＶＬＲｂからコール設定のための被呼加入者のデータを要求する（メッセージ２．１２）。ビジター位置レジスタＶＬＲは、応答メッセージ２．１３において必要なデータを送信し、そしてＭＳＣがデータ送信に必要なリソースを与えることができる場合には、交換センターＭＳＣｂと移動ステーションＭＳＢとの間でコール設定のシグナリングが行なわれ、これが矢印２．１４及び２．１５で示されている。入呼びに含まれた情報と加入者Ｂの加入者データとが組合わされる状態では、ビジター位置レジスタＶＬＲは、ＣＵＧインターロックコードの逆変換を実行し、そして加入者Ｂの移動ステーションＭＳｂにＣＵＧ指示を与えるＣＵＧインデックスを交換センターＭＳＣに返送する。
【００２０】
ＧＳＭ仕様書０２．８５は、閉じたユーザグループ（以下、ＣＵＧグループと称する）とコール再送との間の相互作用を規定している。一般に、ＣＵＧコールを機能させるためのコール再送の場合は、ＣＵＧの定義に基づいて加入者Ａと加入者Ｂとの間のコールを許さねばならない。加入者ＢのＣＵＧ定義が加入者Ｂと加入者Ｃとの間に転送されるべきコール形式のコールを阻止する場合には、コールを再送することができない。再送されるべきコールは、発呼者（加入者Ａ）のＣＵＧ定義を使用し、従って、加入者Ａ及び加入者ＣのＣＵＧ定義は、一般に、それらの間のコールを許さねばならない。
【００２１】
条件付コール再送は、加入者の状態又はコール設定の進行に関する情報を必要とし、従って、それらは、通常、ビジター位置レジスタＶＬＲを経てルート指定される。無条件コール再送の情報は、ホーム位置レジスタＨＬＲに記憶され、従って、それは、ルート情報質問に関連して予め検出される。ＣＦＮＲｃに到達しない移動加入者に関するコール再送は、加入者のアクセス性に関する情報が得られるレジスタを経てルート指定される。閉じたユーザグループとコール再送との間の相互作用は、コール再送がアクチベートされた場合にはＣＵＧチェックの後にチェックされる。無条件コール再送、及びホーム位置レジスタＨＬＲによりアクチベートされる条件付コール再送ＣＦＮＲｃの場合には、上記相互作用がホーム位置レジスタＨＬＲにおいてチェックされ、そして他の条件付コール再送の場合には、相互作用がビジター位置レジスタＶＬＲにおいてチェックされる。
【００２２】
図３は、ＣＵＧの定義とコール再送ファシリティとの間の相互作用を示すＧＳＭ仕様書０２．８５に基づく一般的テーブルである。このテーブルの列は、再送加入者（加入者Ｂ）の異なるＣＵＧ定義を表わし、そしてテーブルの行は、ネットワークから受け取られるＣＵＧ定義を表わす。テーブルの最初の２行は、入呼びに含まれたＣＵＧインターロックコードが加入者ＢのＣＵＧインターロックコードと一致する場合（Ｍ）及び一致しない場合（ＮＭ）を別々に示す２つの部分に分割される。このテーブルを参照し、コール再送が成功する場合について以下に説明する。コール再送と閉じたユーザグループとの間の相互作用によりコールが拒絶される場合には、加入者データベースは、再送交換センターに拒絶を通知し、そしてその理由として「被呼者の補足サービスの相互作用違反」を与える。
【００２３】
テーブルの最初の行は、再送されるべきコールが、出アクセスＯＡに対する定義を含まないＣＵＧコールであるケース３１を示す。再送加入者ＢがＣＵＧ加入者であって、そのＣＵＧインターロックコードが加入者Ａから受け取ったものと一致し、そして出呼び阻止ＯＣＢが加入者Ｂに対して定義されていない場合には、コール再送が成功し、そして再送されるコールは、加入者Ａから受け取ったＣＵＧインターロックコードを含み（ケース３１１．１及び３１１．３）、そして他のケース（３１１．２、３１１．４、３１２．１、３１２．２及び３１３）では、コールが拒絶される。
【００２４】
テーブルの第２行目は、再送されるべきコールがＣＵＧコールであり、そして出アクセスＯＡに対する定義を含むケース３２を示している。加入者ＢがＣＵＧ加入者であって、そのＣＵＧインターロックコードが加入者Ａから受け取ったものに一致する場合には、コール再送が成功し、そして再送されるコールは、加入者Ａから受け取ったＣＵＧインターロックコードを含むが、出アクセスは含まない（ケース３２１．１）。加入者ＢがＣＵＧ加入者であって、そのＣＵＧインターロックコードが加入者Ａから受け取ったものに一致しそして出アクセスＯＡを有するが、出呼び阻止ＯＣＢをもたない場合には、コール再送が成功し、そして再送されるコールは、加入者Ａから受け取ったＣＵＧインターロックコード及び出アクセスＯＡを含む（ケース３２１．３）。加入者ＢがＣＵＧ加入者であって、そのＣＵＧインターロックコードが加入者Ａから受け取ったものに一致し、そして出アクセスＯＡを有するが、出呼び阻止ＯＣＢをもたない場合には、コールを通常のコールとして再送することができる（ケース３２１．４）。
【００２５】
加入者ＢがＣＵＧ加入者であって、そのＣＵＧインターロックコードが加入者ＡのＣＵＧインターロックコードに一致しないが、入アクセスＩＡ及び出アクセスＯＡを有する場合には、コール再送が成功し、そして再送されるコールは、加入者Ａから受け取られるＣＵＧインターロックコード及び出アクセスＯＡを含む（ケース３２３）。他のケース（ケース３２１．２及び３２２．１）では、コール再送が失敗となる。
テーブルの第３行目は、再送されるべきコールがＣＵＧ情報を含まないケース３３を示す。加入者Ｂが、出アクセスが定義されたＣＵＧ加入者である場合は、コールが通常のコールとして再送される（ケース３３３）。他のケース（ケース３３１．１）では、コール再送が失敗となる。
【００２６】
図４は、一般的なレベルにある上記のコール再送及び閉じたユーザグループの定義がコール設定及び音声メールへのコール再送にいかに作用するかを示すテーブルである。図４のテーブルにおいて、加入者Ｂは、インターロックコードＩＣ１で定義されるべきＣＵＧグループのメンバーであり、そしてこのテーブルは、発呼加入者Ａが同じＣＵＧグループのメンバー（ＩＣ１）であるか、別のＣＵＧグループのメンバー（ＩＣ２）であるか、又は通常の加入者である状態を示している。加入者Ａについては、テーブルは、付加的な定義ＯＡの作用を示し、これは、加入者Ｂの付加的な定義とあいまって、コールが拒絶されるか、ＣＵＧコールとして接続されるか又は通常のコールとして接続されるかに影響する。付加的な定義が使用される場合には、テーブルの列に「ＯＡ」が入る。列の符号「−」は、付加的な定義が使用されないことを意味する。定義がここに取り上げる最後の２つの列に関して意味をもたない場合には、列に符号「＊」が入る。テーブルの他の列にも対応するマークが使用される。
【００２７】
加入者Ｂについては、テーブルは、ここに取り上げるケースにおける付加的な定義ＩＡ、ＩＣＢ、ＯＡ及びＯＣＢの作用を示す。列「コール」は、コールが通常のコール（ＮＯＲＭ）として接続されるか又はＣＵＧコール（ＣＵＧ）として接続されるケースと、コールが拒絶される（ＲＥＪ）ケースとを示す。テーブルの最後の列は、加入者Ａと加入者Ｂとの間で通常のコール又はＣＵＧコールを行うことができたとしても、音声メールへの再送がＣＵＧチェックにより失敗となるケース（ＩＮＶ）を示している。
【００２８】
ケース４．２及び４．３において、加入者Ａ及び加入者Ｂは、同じＣＵＧグループのメンバーであり、そして加入者Ｂに出呼び阻止が設定されておらず、従って、加入者間のコールは、ＣＵＧコールとして接続される。しかしながら、ＣＵＧ内の出呼び阻止ＯＣＢが加入者Ｂに設定されており、従って、音声メールへの再送が失敗となる。出アクセスＯＡが加入者Ｂに設定された場合だけ再送が成功する（ケース４．４参照）。
【００２９】
ケース４．８において、加入者Ａ及び加入者Ｂは、同じＣＵＧグループのメンバーである。加入者Ｂは、入呼び阻止ＩＣＢを有するが、加入者Ａが出アクセスＯＡを有するので、コールは、通常のコールとして接続することができる。しかしながら、加入者Ｂは、出アクセスＯＡをもたず、従って、再送されるべきコールが通常のコールであるので、音声メールへの再送は失敗となる。
ケース４．１１では、加入者Ａ及び加入者Ｂが異なるＣＵＧグループのメンバーであるが、加入者Ａは出アクセスＯＡを有するので、コールは、通常のコールとして接続することができる。上記ケースと同様に、加入者Ｂは出アクセスＯＡをもたず、従って、当該コールが通常のコールであるから、音声メールへの再送は失敗となる。
【００３０】
ケース４．１４では、加入者Ａが閉じたユーザグループのメンバーでなく、従って、コールは、通常のコールとして接続される。加入者Ｂが出アクセスＯＡをもたないので、音声メールへの再送は、この場合も、失敗となる。
上述した全てのケースは、ＣＵＧ定義の性質から生じる通常の状態であり、従って、エラーは含まない。それらを理解するために、ＣＵＧグループや、ＣＵＧ定義により生じる制約及び相互作用について、若干高度な技術的知識をもたねばならない。自分自身について定義された特徴を単に使用しそしてそれらがあるときは機能しそしてあるときは機能しないことを知っている通常の加入者は、失敗の原因を考慮せず、補足的サービスを、エラーの傾向があり且つ信頼性が低いものとみなす。本発明は、このような状態を回避することができる。
【００３１】
図５及び６を参照して好ましい実施形態を以下に説明する。図５は、ｎ個の基本的サービスを任意に有する加入者に対しホーム位置レジスタに加入者データがいかに与えられるかを一般的に示すものである。加入者は、自分自身の国際移動加入者認識ＩＭＳＩを有し、これは、移動通信ネットワーク内で加入者認識として使用される。加入者に対して定義されたサービスは、加入者のＩＭＳＩに添付される。多加入者ナンバリングシステムの原理によれば、各加入者サービス１ないしｎには、それ自身のディレクトリーナンバーＭＳＩＳＤＮ−１ないしＭＳＩＳＤＮ−ｎが与えられる。各ＭＳＩＳＤＮ番号に関連したコール形式を決定する１つの基本的サービスコードＳＣ−１ないしＳＣ−ｎがある。この基本的サービスコードは、上記テレサービス又はベアラサービスコードの１つである。
【００３２】
各基本的なサービスとして４つの異なるコール再送サービスを選択することができ、即ち「コール再送無条件ＣＦＵ」、及び条件付コール再送「ＣＦＮＲｃに到達しない移動加入者のコール再送」、「無応答ＣＦＮＲｙのコール再送」及び「コール再送ビジーＣＦＢ」を選択することができる。ＣＦＮＲｃサービスは、加入者の非アクセス性に関する情報（ＩＭＳＩ削除）を含み、そしてＣＦＮＲｙサービスは、加入者がコールに応答することが予想される時間（呼び出し時間）に関する情報を含む。各基本的サービスに関連してせいぜい１０個のＣＵＧインターロックコードＩＣ−１ないしＩＣ−ｎがある。これらの１つは、好ましいＣＵＧインターロックコードであり、そして他のコードは、コールの始めに加入者により自分の移動ステーションから選択することができる。
【００３３】
図６のフローチャートは、ホーム位置レジスタＨＬＲにおいてコール再送が検出されたときにＭＴ  ＣＵＧコールに関連した本発明の解決策を示す。ステップ６１０では、ホーム位置レジスタＨＬＲは、ゲートウェイ交換センターＧＭＳＣにより送信されたルート情報質問を受け取り、そして発呼者（加入者Ａ）からのコールを被呼者（加入者Ｂ）に関連付ける。ステップ６１５では、ホーム位置レジスタＨＬＲは、加入者Ｂが基本的サービスに関連したＣＵＧ定義を有するかどうかチェックする。このような定義がない場合には、ホーム位置レジスタは、コール設定メッセージが加入者Ａにより与えられたＣＵＧ定義を含むかどうかもチェックする（ステップ６２０）。このような定義がない場合には、通常の入呼び許可が行なわれる（ステップ６２５）。ＣＵＧ定義が見つかった場合には、ホーム位置レジスタＨＬＲにおいて、加入者Ａ及び加入者ＢのＣＵＧ定義に基づいてＣＵＧチェックが行なわれる（ステップ６３０）。加入者Ａ及び加入者ＢのＣＵＧ定義が不適合の場合には、コールが拒絶され、そしてコール設定が中断される（ステップ６８０）。ＣＵＧ定義に基づいてコールを継続できる場合には、ホーム位置レジスタは、コールに関連した基本的サービスに関するコール再送が加入者Ｂに対して定義されたかどうかチェックする（ステップ６４０）。コール再送が定義されていない場合には、ホーム位置レジスタＨＬＲは、ローミング番号を予約する要求を行い、そしてルート情報をゲートウェイ交換センターＧＭＳＣへ送信する（ステップ６６０）。コール再送が定義されていない場合には、ホーム位置レジスタＨＬＲは、ＣＵＧ相互作用に基づいてコール再送が許されるかどうかチェックする（ステップ６４５）。コール再送が許される場合には、ホーム位置レジスタＨＬＲは、コール再送に関する情報及びコール再送番号をゲートウェイ交換センターＧＭＳＣへ返送する（ステップ６７０）。
【００３４】
ＣＵＧ相互作用により上記コール再送を実行できない場合には、公知技術に基づいてコールが拒絶される（ステップ６８０）。問題を回避するために、ホーム位置レジスタは、コール再送がＣＵＧ相互作用により失敗することを通知するときに、付加的なチェックを行い（ステップ６５０）、コール再送番号が音声メール番号と比較される。これら番号が同一であり、即ち再送が音声メールに向けられた場合には、相互作用に関わりなく再送が許される（ステップ６７０）。コール再送番号が音声メール番号以外の番号である場合だけ、ホーム位置レジスタＨＬＲは、コールの拒絶に関する情報をゲートウェイ好感センターＧＭＳＣへ送信する（ステップ６８０）。公知技術によれば、ホーム位置レジスタは、加入者に与えられた音声メール番号に関する情報を有していない。本発明のチェックにとって予め必要なものを与える１つの好ましいやり方は、図５に基づきホーム位置レジスタＨＬＲにおいてコール再送番号と比較することのできる少なくとも許された音声メール番号ＶＭＢ＃をセーブすることである。
【００３５】
図７は、ＧＳＭシステムにおける位置更新に関連してビジター位置レジスタで更新されるコール再送情報を一般的レベルで示している。少なくともＩＭＳＩ及び一次ＭＳＩＳＤＮ、即ち一次サービスに基づくＭＳＩＳＤＮは、ホーム位置レジスタＨＬＲからビジター位置レジスタＶＬＲへ送信される。通常、一次ＭＳＩＳＤＮは、スピーチサービスに接続されたＭＳＩＳＤＮである。これらに加え、ユーザの任意である特殊なサービス及びそれに関連した情報、例えば、アクチベーション及びコール再送番号に関連した情報のリストが、ビジター位置レジスタＶＬＲにおいて更新される。無条件コール再送ＣＦＵは、ホーム位置レジスタＨＬＲを経てルート指定されるので、それに関連した情報は、ビジター位置レジスタＶＬＲにおいて更新されない。
【００３６】
ビジター位置レジスタＶＬＲに対し本発明のチェックに必要な情報を与える１つのやり方は、音声メール番号ＶＭＢ＃を例えば「インサート」メッセージにおいてビジター位置レジスタへ送信することであり、この場合、加入者データは、通常、位置更新に関連してホーム位置レジスタＨＬＲからビジター位置レジスタＶＬＲへ送信される。ＧＳＭ推奨勧告によれば、本発明の付加的な情報に対して「インサート」メッセージに延長部を添付することができる。ビジター位置レジスタＶＬＲは、各「インサート」メッセージを確認し、そして情報が１つのメッセージに適合しない場合には、多数の「インサート」メッセージを順次に送信することができる。
【００３７】
図８は、加入者が応答しないときにＭＴ  ＣＵＧコールに関連した本発明の解決策を示す。この場合、ビジター位置レジスタＶＬＲにおいてコール再送が検出される。当該コールは移動着信コールＭＴであるから、ＣＵＧチェックは、加入者Ｂのホーム位置レジスタＨＬＲｂにおいて予め行なわれている。ステップ８１０では、ビジター位置レジスタは、加入者Ｂが入呼びに応答しないことを検出する。所定の呼び出し時間の後、システムは、ビジター位置レジスタにおいて（ステップ８２０）、加入者がこのケースに関連した条件付コール再送を定義したかどうかチェックする。このようなコール再送に関する情報が見つからない場合には、コール設定が終了し、そしてコールの終了に関する情報が加入者Ａに送られる（ステップ８５０）。コール再送に関する情報がビジター位置レジスタＶＬＲに見つかった場合には（ＣＦＮＲｙアクティブフラグ）、コール再送の相互作用及び閉じたユーザグループに関連した定義に対してチェックが行なわれる（ステップ８３０）。相互作用に基づいてコール再送が許された場合には、コールがコール再送番号に接続される（ステップ８６０）。相互作用によりコール再送が禁じられた場合には、本発明の付加的なチェックが行なわれ、このチェックは、コール再送番号Ｃ＃を音声メール番号ＶＭＢ＃と比較することを含む（ステップ８４０）。これら番号が同一である場合には、コール再送が許され、そしてコール再送番号へのコール設定が続けられる（ステップ８６０）。
【００３８】
上記例では、相互作用のためにコール再送が失敗した状態においてチェックが行なわれた。しかしながら、本発明のチェックは、他のプロセス段階に追加することもできる。例えば、コール再送ファシリティとＣＵＧ定義との間の相互作用をチェックする前にチェックを行うことができ、従って、コール再送ファシリティと閉じたユーザグループとの間の相互作用は、コール再送が音声メールに向けられないときだけチェックされる。
技術の進歩に伴い、本発明の考え方は多数の異なるやり方で実施できることが当業者に明らかであろう。従って、本発明及びその実施形態は、上記の例に限定されるものではなく、請求の範囲内で種々変更し得るものである。
【図面の簡単な説明】
【図１】  ＧＳＭシステムの基本的な要素を一般的なレベルで示すブロック図である。
【図２】  ＧＳＭ形式の移動通信システムにおいて２つの移動ステーション間で設定されるコールを示すブロック及び信号図である。
【図３】  ＣＵＧの定義と、ＧＳＭ仕様書０２．８５に基づくコール再送ファシリティとの間の相互作用を示す一般的なテーブルである。
【図４】  一般的なレベルにある上記のコール再送及び閉じた加入者グループの定義がコール設定及び音声メールへのコール再送にいかに作用するかを示すテーブルである。
【図５】  ｎ個の基本的サービスを任意に有する加入者に対しホーム位置レジスタに加入者データがいかに与えられるかを一般的に示す図である。
【図６】  ホーム位置レジスタＨＬＲにおいてコール再送が検出されたときにＭＴ  ＣＵＧコールに関連して本発明の解決策を示すフローチャートである。
【図７】  ＧＳＭシステムの位置更新に関連してビジター位置レジスタＶＬＲにおいて更新されるコール再送に関する情報を一般的なレベルで示す図である。
【図８】  加入者が応答しないときにＭＴ  ＣＵＧコールに関連した本発明の解決策を示す図である。
【図１】
0004149656.tif 000002
【図２】
0004149656.tif 000003
【図３】
0004149656.tif 000004
【図４】
0004149656.tif 000005
【図５】
0004149656.tif 000006
【図６】
0004149656.tif 000007
【図７】
0004149656.tif 000008
【図８】
0004149656.tif 000009